(57)【特許請求の範囲】
【請求項１】
ワイヤレス通信の方法であって、
ユーザ機器（ＵＥ）が、ユーザ機器基準信号（ＵＥＲＳ）を受信することと、
前記ＵＥが、少なくとも１つの共通基準信号（ＣＲＳ）を受信することと、
前記ＵＥが、それぞれ、前記少なくとも１つのＣＲＳの各々に基づいて、少なくとも１つのＣＲＳタイミング推定値を推定することと、
前記ＵＥが、前記ＵＥＲＳに少なくとも部分的に基づいてＵＥＲＳタイミング推定値を推定することと、
前記ＵＥが、前記ＵＥＲＳタイミング推定値と、前記少なくとも１つのＣＲＳタイミング推定値の各々との間のタイミング差分を決定することと、
前記ＵＥが、前記タイミング差分に基づいて、前記少なくとも１つのＣＲＳタイミング推定値のうちの１つに関連付けられた、アラインされたＣＲＳタイミング推定値を識別することと、
前記ＵＥが、代用のタイミング推定値に基づいて、ダウンリンクデータチャネルで搬送されたデータを復調することと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、方法。
【請求項２】
前記ＵＥＲＳタイミング推定値を推定することは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を備える、請求項１に記載の方法。
【請求項３】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項２に記載の方法。
【請求項４】
前記少なくとも１つのＣＲＳを受信することは、サービングＣＲＳおよび非サービングＣＲＳを受信することを備え、
前記少なくとも１つのＣＲＳタイミング推定値を推定することは、サービングＣＲＳタイミング推定値および非サービングＣＲＳタイミング推定値を推定することを含み、
前記アラインされたＣＲＳタイミング推定値は、前記タイミング差分の最小値に関連付けられた前記ＣＲＳタイミング推定値である、請求項１に記載の方法。
【請求項５】
前記ＣＲＳを受信することは、前記少なくとも１つのＣＲＳを複数の送信ポイントから受信することを備える、請求項１に記載の方法。
【請求項６】
前記ＵＥＲＳタイミング推定値は、前記少なくとも１つのＣＲＳタイミング推定値のうちの１つ以上よりも早い、またはそれらと一致する、請求項５に記載の方法。
【請求項７】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項１に記載の方法。
【請求項８】
ワイヤレス通信のために構成された装置であって、
ユーザ機器基準信号（ＵＥＲＳ）を受信するための手段と、
少なくとも１つの共通基準信号（ＣＲＳ）を受信するための手段と、
それぞれ、前記少なくとも１つのＣＲＳの各々に基づいて、少なくとも１つのＣＲＳタイミング推定値を推定するための手段と、
前記ＵＥＲＳに少なくとも部分的に基づいてＵＥＲＳタイミング推定値を推定するための手段と、
前記ＵＥＲＳタイミング推定値と、前記少なくとも１つのＣＲＳタイミング推定値の各々との間のタイミング差分を決定するための手段と、
前記タイミング差分に基づいて、前記少なくとも１つのＣＲＳタイミング推定値のうちの１つに関連付けられた、アラインされたＣＲＳタイミング推定値を識別するための手段と、
代用のタイミング推定値に基づいて、ダウンリンクデータチャネルで搬送されたデータを復調するための手段と
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
【請求項９】
前記ＵＥＲＳタイミング推定値を推定するための手段は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するための手段と、
前記周波数ドメインモデリングされたチャネルの各々に対して推定器を適用することで、位相ランピングタームを生成するための手段と、
前記推定された位相ランピングタームを前記ＵＥＲＳタイミング推定値にマッピングするための手段と
を備える、請求項８に記載の装置。
【請求項１０】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項９に記載の装置。
【請求項１１】
前記少なくとも１つのＣＲＳを受信するための手段は、サービングＣＲＳおよび非サービングＣＲＳを受信するための手段を備え、
前記少なくとも１つのＣＲＳタイミング推定値を推定するための手段は、サービングＣＲＳタイミング推定値および非サービングＣＲＳタイミング推定値を推定するための手段を含み、
前記アラインされたＣＲＳタイミング推定値は、前記タイミング差分の最小値に関連付けられた前記ＣＲＳタイミング推定値である、請求項８に記載の装置。
【請求項１２】
前記ＣＲＳを受信するための手段は、複数の送信ポイントから前記少なくとも１つのＣＲＳを受信するための手段を備える、請求項８に記載の装置。
【請求項１３】
前記ＵＥＲＳタイミング推定値は、前記少なくとも１つのＣＲＳタイミング推定値のうちの１つ以上よりも早い、またはそれらと一致する、請求項１２に記載の装置。
【請求項１４】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項８に記載の装置。
【請求項１５】
ワイヤレスネットワークにおけるワイヤレス通信のためのプログラムコードが記録されたコンピュータ読取可能な記憶媒体であって、前記プログラムコードは、
ユーザ機器基準信号（ＵＥＲＳ）を受信するためのプログラムコードと、
少なくとも１つの共通基準信号（ＣＲＳ）を受信するためのプログラムコードと、
それぞれ、前記少なくとも１つのＣＲＳの各々に基づいて、少なくとも１つのＣＲＳタイミング推定値を推定するためのプログラムコードと、
前記ＵＥＲＳに少なくとも部分的に基づいてＵＥＲＳタイミング推定値を推定するためのプログラムコードと、
前記ＵＥＲＳタイミング推定値と、前記少なくとも１つのＣＲＳタイミング推定値の各々との間のタイミング差分を決定するためのプログラムコードと、
前記タイミング差分に基づいて、前記少なくとも１つのＣＲＳタイミング推定値のうちの１つに関連付けられたアラインされたＣＲＳタイミング推定値を識別するためのプログラムコードと、
代用のタイミング推定値に基づいて、ダウンリンクデータチャネルで搬送されたデータを復調するためのプログラムコードと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、コンピュータ読取可能な記憶媒体。
【請求項１６】
前記ＵＥＲＳタイミング推定値を推定するためのプログラムコードは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するためのプログラムコードと、
前記周波数ドメインモデリングされたチャネルの各々に対して推定器を適用することで、位相ランピングタームを生成するためのプログラムコードと、
前記推定された位相ランピングタームを前記ＵＥＲＳタイミング推定値にマッピングするためのプログラムコードと
を備える、請求項１５に記載のコンピュータ読取可能な記憶媒体。
【請求項１７】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項１６に記載のコンピュータ読取可能な記憶媒体。
【請求項１８】
前記少なくとも１つのＣＲＳを受信するための前記プログラムコードは、サービングＣＲＳおよび非サービングＣＲＳを受信するためのプログラムコードを備え、
前記少なくとも１つのＣＲＳタイミング推定値を推定するための前記プログラムコードは、サービングＣＲＳタイミング推定値および非サービングＣＲＳタイミング推定値を推定するためのプログラムコードを含み、
前記アラインされたＣＲＳタイミング推定値は、前記タイミング差分の最小値に関連付けられた前記ＣＲＳタイミング推定値である、請求項１５に記載のコンピュータ読取可能な記憶媒体。
【請求項１９】
前記ＣＲＳを受信するための前記プログラムコードは、前記少なくとも１つのＣＲＳを複数の送信ポイントから受信するためのプログラムコードを備える、請求項１５に記載のコンピュータ読取可能な記憶媒体。
【請求項２０】
前記ＵＥＲＳタイミング推定値は、前記少なくとも１つのＣＲＳタイミング推定値のうちの１つ以上よりも早い、またはそれらと一致する、請求項１９に記載のコンピュータ読取可能な記憶媒体。
【請求項２１】
前記平均タイミング誤差推定値は、
前記アラインされたＣＲＳタイミング推定値と、前記ＵＥＲＳタイミング推定値との重み付けされた組み合わせ、および
前記アラインされたＣＲＳタイミング推定値と、前記ＵＥＲＳタイミング推定値との平均
のうちの１つを備える、請求項１５に記載のコンピュータ読取可能な記憶媒体。
【請求項２２】
ワイヤレス通信のために構成された装置であって、
少なくとも１つのプロセッサと、
前記少なくとも１つのプロセッサに結合されたメモリと
を備え、
前記少なくとも１つのプロセッサは、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと
を実行するように構成され、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
【請求項２３】
前記ＵＥＲＳタイミング推定値を推定するような前記少なくとも１つのプロセッサの構成は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を実行するような前記少なくとも１つのプロセッサの構成を備える、請求項２２に記載の装置。
【請求項２４】
前記周波数ドメインモデリングされたチャネルは、前記複数のＵＥＲＳトーンのうちの隣接ＵＥＲＳトーン上の隣接チャネルに前記位相ランピングタームを乗じたものを備える、請求項２３に記載の装置。
【請求項２５】
前記少なくとも１つのＣＲＳを受信するような前記少なくとも１つのプロセッサの構成は、サービングＣＲＳおよび非サービングＣＲＳを受信するような前記少なくとも１つのプロセッサの構成を備え、
前記少なくとも１つのＣＲＳタイミング推定値を推定するような前記少なくとも１つのプロセッサの構成は、サービングＣＲＳタイミング推定値および非サービングＣＲＳタイミング推定値を推定するような前記少なくとも１つのプロセッサの構成を含み、
前記アラインされたＣＲＳタイミング推定値は、前記タイミング差分の最小値に関連付けられた前記ＣＲＳタイミング推定値である、請求項２２に記載の装置。
【請求項２６】
前記ＣＲＳを受信するような前記少なくとも１つのプロセッサの構成は、複数の送信ポイントから前記少なくとも１つのＣＲＳを受信するような前記少なくとも１つのプロセッサの構成を備える、請求項２２に記載の装置。
【請求項２７】
前記ＵＥＲＳタイミング推定値は、前記少なくとも１つのＣＲＳタイミング推定値のうちの１つ以上よりも早い、またはそれらと一致する、請求項２６に記載の装置。
【請求項２８】
前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、請求項２２に記載の装置。
【発明の詳細な説明】
【関連出願】
【０００１】
[0001]本願は、参照により全体が本明細書に明確に組み込まれる、２０１１年１２月１４日に出願された「USER EQUIPMENT REFERENCE SIGNAL-BASED TIMING ESTIMATION」と題する米国特許仮出願第６１／５７０，６６１号の利益を主張する。
【技術分野】
【０００２】
[0002]本開示の態様は一般に、ワイヤレス通信システムに関し、より詳細には、ユーザ機器基準信号（ＵＥＲＳ）ベースのタイミング推定値に関する。
【背景技術】
【０００３】
[0003]ワイヤレス通信ネットワークは、音声、ビデオ、パケットデータ、メッセージング、ブロードキャスト、等の、様々な通信サービスを提供するために広く展開されている。これらのワイヤレスネットワークは、利用可能なネットワークリソースを共有することによって複数のユーザをサポートすることができる多元接続ネットワークでありうる。通常は多元接続ネットワークであるこのようなネットワークは、利用可能なネットワークリソースを共有することによって複数のユーザのための通信をサポートする。このようなネットワークの一例は、ユニバーサル地上無線接続ネットワーク（ＵＴＲＡＮ）である。ＵＴＲＡＮは、ユニバーサルモバイル電気通信システム（ＵＭＴＳ）の一部として定義された無線接続ネットワーク（ＲＡＮ）であって、第３世代パートナーシッププロジェクト（３ＧＰＰ）によってサポートされる第３世代（３Ｇ）モバイル電話技術である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]ワイヤレス通信ネットワークは、多数のユーザ機器（ＵＥ）のための通信をサポートすることができる多数の基地局またはノードＢを含みうる。ＵＥは、ダウンリンクおよびアップリンクを介して基地局と通信しうる。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]基地局は、データおよび制御情報をダウンリンクでＵＥに送信し、および／または、データおよび制御情報をアップリンクでＵＥから受信しうる。ダウンリンクでは、基地局からの送信が、近隣基地局からの、または、他のワイヤレス無線周波数（ＲＦ）送信機からの送信による干渉に遭遇しうる。アップリンクでは、ＵＥからの送信は、この近隣基地局と通信する他のＵＥのアップリンク送信からの、または、他のワイヤレスＲＦ送信機からの干渉に遭遇しうる。この干渉は、ダウンリンクおよびアップリンクの両方の性能を低下させうる。
【０００６】
[0006]モバイルブロードバンドアクセスに対する需要が増加し続けると、コミュニティにおいて、より多くのＵＥが長距離ワイヤレス通信ネットワークにアクセスし、より多くの短距離ワイヤレスシステムが展開されるため、干渉および輻輳（congested）ネットワークの可能性が増大する。研究および開発は、モバイルブロードバンドアクセスに対する高まる需要を満たすためだけでなく、モバイル通信とのユーザ経験を促進および強化するために、ＵＭＴＳ技術を発展させ続けている。
【発明の概要】
【０００７】
[0007]本開示の様々な態様は、ユーザ機器基準信号（ＵＥＲＳ）を用いた、タイミング誤差の推定に向けられている。ダウンリンクデータチャネルがＵＥによって受信されると、ＵＥＲＳベースのリソースブロック（ＲＢ）の各々にＵＥＲＳ信号を含む受信信号は、逆拡散される。ＵＥＲＳ内のチャネルが、隣接ＵＥＲＳトーン上のチャネルに位相ランピングタームを乗じたもの（a channel on an adjacent UERS tone multiplied by a phase ramping term）としてモデリングされうるように、周波数ドメインモデルが、逆拡散されたＵＥＲＳ信号の各々に適用される。この位相ランピングタームは、モデリングされたチャネル上で推定器を使用して決定されうる。周波数ドメインにおける位相ランピングタームが、時間ドメインにおけるタイミング誤差と同等であるため、ＵＥは、推定されたタイミング誤差を得るために、推定された位相ランピングタームを時間ドメインへとマッピングする。次に、ＵＥは、復調において、推定されたタイミング誤差を使用しうる。
【０００８】
[0008]ＵＥが、結合解除された（decoupled）データおよび制御送信を受信しうる多地点協調（ＣｏＭＰ：coordinated multipoint）システムにおいて、データを送信するネットワークエンティティに関連付けられた、アラインされた（aligned）共通基準信号（ＣＲＳ）を決定するために、ＵＥＲＳベースのタイミング誤差が使用されうる。この決定を用いて、ＵＥは、ＣＲＳベースのタイミング誤差を推定し、ＵＥＲＳベースのタイミング誤差の代わりにＣＲＳベースのタイミング誤差を用いうる。代替的に、ＵＥは、ＵＥＲＳベースのタイミング誤差とＣＲＳベースのタイミング誤差とを組み合わせて、タイミング推定値の精度を改善しうる。例えば、ＵＥは、ＵＥＲＳベースの誤差とＣＲＳベースの誤差の両方に基づく、重み付けされた平均タイミング誤差を代用しうる。
【０００９】
[0009]本開示の一態様において、ワイヤレス通信の方法は、ＵＥＲＳを受信することと、少なくとも１つのＣＲＳを受信することと、それぞれＣＲＳの各々に基づいて、少なくとも１つのＣＲＳタイミング推定値を推定することと、ＵＥＲＳに少なくとも部分的に基づいてＵＥＲＳタイミング推定値を推定することと、ＵＥＲＳタイミング推定値と、ＣＲＳタイミング推定値の各々との間のタイミング差分を決定することと、このタイミング差分に基づいて、ＣＲＳタイミング推定値のうちの１つに関連付けられた、アラインされたＣＲＳタイミング推定値を識別することと、代用のタイミング推定値に基づいて、ダウンリンクデータチャネルで搬送されたデータを復調することと、を含む。代用のタイミング推定値は、アラインされたＣＲＳタイミング推定値または平均タイミング誤差推定値のいずれかであり、平均タイミング誤差推定値は、アラインされたＣＲＳタイミング推定値と、ＵＥＲＳタイミング推定値との組み合わせに基づく。
【００１０】
[0010]本開示のさらなる態様において、ワイヤレス通信のために構成された装置は、ＵＥＲＳを受信するための手段と、少なくとも１つのＣＲＳを受信するための手段と、それぞれＣＲＳの各々に基づいて、少なくとも１つのＣＲＳタイミング推定値を推定するための手段と、ＵＥＲＳに少なくとも部分的に基づいてＵＥＲＳタイミング推定値を推定するための手段と、ＵＥＲＳタイミング推定値と、ＣＲＳタイミング推定値の各々との間のタイミング差分を決定するための手段と、タイミング差分に基づいて、ＣＲＳタイミング推定値のうちの１つに関連付けられた、アラインされたＣＲＳタイミング推定値を識別するための手段と、代用のタイミング推定値に基づいて、ダウンリンクデータチャネルで搬送されたデータを復調するための手段を含む。代用のタイミング推定値は、アラインされたＣＲＳタイミング推定値または平均タイミング誤差推定値のいずれかであり、平均タイミング誤差推定値は、アラインされたＣＲＳタイミング推定値と、ＵＥＲＳタイミング推定値との組み合わせに基づく。
【００１１】
[0011]本開示のさらなる態様において、コンピュータプログラム製品は、プログラムコードを記録したコンピュータ読取可能な媒体を有する。このプログラムコードは、ＵＥＲＳを受信するためのコードと、少なくとも１つのＣＲＳを受信するためのコードと、それぞれ、ＣＲＳの各々に基づいて、少なくとも１つのＣＲＳタイミング推定値を推定するためのコードと、ＵＥＲＳに少なくとも部分的に基づいてＵＥＲＳタイミング推定値を推定するためのコードと、ＵＥＲＳタイミング推定値と、少なくとも１つのＣＲＳタイミング推定値の各々との間のタイミング差分を決定するためのコードと、タイミング差分に基づいて、少なくとも１つのＣＲＳタイミング推定値のうちの１つに関連付けられた、アラインされたＣＲＳタイミング推定値を識別するためのコードと、代用のタイミング推定値に基づいて、ダウンリンクデータチャネルで搬送されたデータを復調するためのコードとを含む。代用のタイミング推定値は、アラインされたＣＲＳタイミング推定値または平均タイミング誤差推定値のいずれかであり、平均タイミング誤差推定値は、アラインされたＣＲＳタイミング推定値と、ＵＥＲＳタイミング推定値との組み合わせに基づく。
【００１２】
[0012]本開示のさらなる態様において、装置は、少なくとも１つのプロセッサと、このプロセッサに結合されたメモリとを含む。プロセッサは、ＵＥＲＳを受信することと、少なくとも１つのＣＲＳを受信することと、それぞれ、ＣＲＳの各々に基づいて、少なくとも１つのＣＲＳタイミング推定値を推定することと、ＵＥＲＳに少なくとも部分的に基づいてＵＥＲＳタイミング推定値を推定することと、ＵＥＲＳタイミング推定値と、ＣＲＳタイミング推定値の各々との間のタイミング差分を決定することと、タイミング差分に基づいて、ＣＲＳタイミング推定値のうちの１つに関連付けられた、アラインされたＣＲＳタイミング推定値を識別することと、代用のタイミング推定値に基づいて、ダウンリンクデータチャネルで搬送されたデータを復調することと、を行うように構成される。代用のタイミング推定値は、アラインされたＣＲＳタイミング推定値または平均タイミング誤差推定値のいずれかであり、平均タイミング誤差推定値は、アラインされたＣＲＳタイミング推定値と、ＵＥＲＳタイミング推定値との組み合わせに基づく。
【図面の簡単な説明】
【００１３】
【図１】図１は、モバイル通信システムの例を概念的に示すブロック図である。
【図２】図２は、ＬＴＥにおけるダウンリンクフレーム構造の例を示す図である。
【図３】図３は、アップリンクＬＴＥ／−Ａ通信における例示的なフレーム構造を概念的に示すブロック図である。
【図４】図４は、本開示の一態様に係る、異種ネットワークにおける時分割多重（ＴＤＭ）分割を概念的に示すブロック図である。
【図５】図５は、本開示の一態様にしたがって構成された基地局／ｅＮＢおよびＵＥの設計を概念的に示すブロック図である。
【図６】図６は、低電力無線リソースヘッド（ＲＲＨ）を使用する異種ネットワーク（ＨｅｔＮｅｔ）多地点協調（ＣｏＭＰ）セルを示す図である。
【図７】図７は、本開示の一態様を実現するために実行される例示的なブロックを示す機能ブロック図である。
【図８Ａ】図８Ａは、本開示の一態様にしたがって構成されたＵＥを示すブロック図である。
【図８Ｂ】図８Ｂは、本開示の一態様にしたがって構成されたＵＥを示すブロック図である。
【図８Ｃ】図８Ｃは、本開示の一態様にしたがって構成されたＵＥを示すブロック図である。
【図８Ｄ】図８Ｄは、本開示の一態様にしたがって構成されたＵＥを示すブロック図である。
【図９】図９は、本開示の一態様にしたがって構成されたＵＥの詳細図（detailed view）を概念的に示すブロック図である。
【発明を実施するための形態】
【００１４】
[0022]添付の図面に関連して以下に示される詳細な説明は、様々な構成を説明することを意図したものであり、本開示の範囲を限定することを意図したものではない。むしろ、この詳細な説明は、発明性のある主題の徹底した理解を提供することを目的とする特定の詳細を含む。これら特定の詳細がすべてのケースに要求されるわけではないこと、および、いくつかの例では、提示の明確さのために周知の構造およびコンポーネントがブロック図の形式で示されることは、当業者には明白であろう。
【００１５】
[0023]本明細書で説明される技法は、ＣＤＭＡ、ＴＤＭＡ、ＦＤＭＡ、ＯＦＤＭＡ、ＳＣ−ＦＤＭＡ、のような様々なワイヤレス通信ネットワークおよび他のネットワークに使用されうる。「ネットワーク」および「システム」という用語は、交換して使用されることが多い。ＣＤＭＡネットワークは、ユニバーサル地上無線接続（ＵＴＲＡ）、米国電気通信工業会（ＴＩＡ）のＣＤＭＡ２０００（登録商標）、等の無線技術を実現しうる。ＵＴＲＡ技術は、広域ＣＤＭＡ（ＷＣＤＭＡ（登録商標））およびＣＤＭＡの他の変形を含む。ＣＤＭＡ２０００技術は、米国電子工業会（ＥＩＡ）およびＴＩＡのＩＳ−２０００、ＩＳ−９５、およびＩＳ−８５６規格を含む。ＴＤＭＡネットワークは、モバイル通信のためのグローバルシステム（ＧＳＭ（登録商標））のような無線技術を実現しうる。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭＡ、等のような無線技術を実現しうる。ＵＴＲＡおよびＥ−ＵＴＲＡ技術は、ユニバーサルモバイル電気通信システム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書で説明されている。ＣＤＭＡ２０００およびＵＭＢは、「第３世代パートナーシッププロジェクト２」（３ＧＰＰ２）と呼ばれる団体の文書で説明されている。本明細書で説明される技法は、上述されたワイヤレスネットワークおよび無線接続技術に加えて、他のワイヤレスネットワークおよび無線接続技術に使用されうる。明確さのために、これら技法の特定の態様は、ＬＴＥまたはＬＴＥ−Ａ（代替的に、総称して「ＬＴＥ／−Ａ」と呼ばれる）に関して以下に説明され、下記の説明の大部分において、このようなＬＴＥ／−Ａ用語を使用する。
【００１６】
[0024]図１は、通信のためのワイヤレスネットワーク１００を示し、これは、ＬＴＥ−Ａネットワークでありうる。ワイヤレスネットワーク１００は、多数の発展型ノードＢ（ｅＮＢ）１１０および他のネットワークエンティティを含む。ｅＮＢは、ＵＥと通信する局であり、別名、基地局、ノードＢ、アクセスポイント、等と呼ばれうる。各ｅＮＢ １１０は、特定の地理的エリアに対して通信カバレッジを提供しうる。３ＧＰＰでは、「セル」という用語は、この用語が使用される文脈に依存して、ｅＮＢのこの特定の地理的カバレッジエリア、および／または、このカバレッジエリアをサービングするｅＮＢサブシステムを指しうる。
【００１７】
[0025]ｅＮＢは、マクロセル、ピコセル、フェムトセル、および／または、他のタイプのセルに対して通信カバレッジを提供しうる。マクロセルは一般的に、比較的大きい地理的エリア（例えば、半径数キロメートル）をカバーしており、ネットワークプロバイダのサービスに加入しているＵＥによる無制限アクセスを可能にしうる。ピコセルは一般的に、比較的小さい地理的エリアをカバーすることが多く、ネットワークプロバイダのサービスに加入しているＵＥによる無制限アクセスを可能にしうる。フェムトセルもまた、一般的に、比較的小さい地理的エリア（例えば、家）をカバーすることが多く、無制限アクセスに加えて、このフェムトセルと関連のあるＵＥ（例えば、クローズド加入者グループ（ＣＳＧ）のＵＥ、家の中にいるユーザのＵＥ、等）による制約付きアクセスも提供しうる。マクロセルのためのｅＮＢは、マクロｅＮＢと呼ばれうる。ピコセルのためのｅＮＢは、ピコｅＮＢと呼ばれうる。また、フェムトセルのためのｅＮＢは、フェムトｅＮＢまたはホームｅＮＢと呼ばれうる。図１に示される例では、ｅＮＢ １１０ａ、１１０ｂ、および１１０ｃはそれぞれ、マクロセル１０２ａ、１０２ｂ、および１０２ｃのためのマクロｅＮＢである。ｅＮＢ １１０ｘは、ピコセル１０２ｘのためのピコｅＮＢである。また、ｅＮＢ １１０ｙおよび１１０ｚはそれぞれ、フェムトセル１０２ｙおよび１０２ｚのためのフェムトｅＮＢである。ｅＮＢは、１または複数（例えば、２つ、３つ、４つ、等）のセルをサポートしうる。
【００１８】
[0026]ワイヤレスネットワーク１００はまた、中継局を含む。中継局は、アップストリーム局（例えば、ｅＮＢ、またはＵＥ、等）からデータおよび／または他の情報の送信を受信し、ダウンストリーム局（例えば、別のＵＥ、または別のｅＮＢ、等）にデータおよび／または他の情報の送信を送る局である。中継局はまた、他のＵＥのための送信を中継するＵＥでありうる。図１に示される例において、中継局１１０ｒは、ｅＮＢ １１０ａおよびＵＥ １２０ｒと通信しうる。ここにおいて、中継局１１０ｒは、２つのネットワークエレメント（ｅＮＢ １１０ａとＵＥ １２０ｒと）の間の通信を容易にするために、それらの間でリレーとして動作する。中継局は、別名、中継ｅＮＢ、リレー、等と呼ばれうる。
【００１９】
[0027]ワイヤレスネットワーク１００は、同期動作または非同期動作をサポートしうる。同期動作の場合、ｅＮＢは、同様のフレームタイミングを有し、異なるｅＮＢからの送信は、時間的におおまかにアラインされうる。非同期動作の場合、ｅＮＢは、異なるフレームタイミングを有し、異なるｅＮＢからの送信は、時間的にアラインされない。
【００２０】
[0028]ネットワークコントローラ１３０は、ｅＮＢのセットに結合し、これらのｅＮＢに対して調整（coordination）および制御を提供しうる。ネットワークコントローラ１３０は、バックホール１３２を介してｅＮＢ １１０と通信しうる。ｅＮＢ １１０はまた、例えば、直接的に、あるいは、ワイヤレスバックホール１３４またはワイヤラインバックホール１３６を介して間接的に、互いに通信しうる。
【００２１】
[0029]ＵＥ １２０は、ワイヤレスネットワーク１００全体に分散しており、各ＵＥは、据置式またはモバイルでありうる。ＵＥは、別名、端末、モバイル局、加入者ユニット、局、等と呼ばれうる。ＵＥは、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等でありうる。ＵＥは、マクロｅＮＢ、ピコｅＮＢ、フェムトｅＮＢ、リレー、等と通信することができうる。図１において、両矢印付きの実線は、ＵＥと、ダウンリンクおよび／またはアップリンクでＵＥにサービングするように指定されたｅＮＢであるサービングｅＮＢとの間の所望の送信を示す。両矢印付きの点線は、ＵＥとｅＮＢとの間の干渉を引き起こす送信を示す。
【００２２】
[0030]ＬＴＥ／−Ａは、ダウンリンク上では直交周波数分割多重（ＯＦＤＭ）を利用し、アップリンク上では単一キャリア周波数分割多重（ＳＣ−ＦＤＭ）を利用する。ＯＦＤＭおよびＳＣ−ＦＤＭは、システム帯域幅を、一般的に、トーン、ビン、等とも呼ばれる複数の（Ｋ個の）直交サブキャリアに分割する。各サブキャリアは、データと変調されうる。一般的に、変調シンボルは、ＯＦＤＭを用いて周波数ドメインで送られ、ＳＣ−ＦＤＭを用いて時間ドメインで送られる。隣接サブキャリア間の間隔（spacing）は、固定であり得、サブキャリアの総数（Ｋ）は、システム帯域幅に依存しうる。例えば、Ｋは、対応システム帯域幅１．２５、２．５、５、１０、または２０メガヘルツ（ＭＨｚ）に対し、それぞれ、１２８、２５６、５１２、１０２４、または２０４８と等しい。システム帯域幅はまた、複数のサブ帯域へと分割されうる。例えば、１つのサブ帯域は、１．０８ ＭＨｚをカバーし得、対応システム帯域幅１．２５、２．５、５、１０、または２０ＭＨｚに対して、それぞれ、１、２、４、８、または１６個のサブ帯域が存在しうる。
【００２３】
[0031]図２は、ＬＴＥにおけるＤＬフレーム構造の例を示す図２００である。１つのフレーム（１０ｍｓ）は、１０個の同じサイズのサブフレームに分割されうる。各サブフレームは、連続した２個の時間スロットを含みうる。リソースグリッドは、２個の時間スロットを表すために使用され、各時間スロットは、リソースブロックを含む。リソースグリッド（resource grid）は、複数のリソースエレメントへと分割される。ＬＴＥにおいて、ノーマルサイクリックプリフィクス（normal cyclic prefix）の場合、１つのリソースブロックは、周波数ドメインには各ＯＦＤＭシンボル内に連続した１２個のサブキャリアを含み、時間ドメインには連続した７個のＯＦＤＭシンボルを含み、すなわち、８４個のリソースエレメントを含んでいる。拡張サイクリックプリフィックスの場合、１つのリソースブロックは、時間ドメインには連続した６個のＯＦＤＭシンボルを含んでおり、７２個のリソースエレメントを有する。リソースエレメントのうちのいくつかは、Ｒ ２０２、２０４と示されているように、ＤＬ基準信号（ＤＬ−ＲＳ）を含む。ＤＬ−ＲＳは、セル固有ＲＳ（ＣＲＳ）（共通ＲＳと呼ばれることもある）２０２およびＵＥ固有ＲＳ（ＵＥＲＳ）２０４を含む。ＬＴＥにおいて、特定の送信モード（例えば、７、８、および９）だけが、ＵＥＲＳについての条項（provision）を含む。ＵＥがこれらの送信状態である場合、ＵＥＲＳは、割り付けられたＰＤＳＣＨ ＲＢのうちのいくつかに現れうる。ＵＥは一般的に、タイミングを推定するためのＵＥＲＳを有するこれらの割り付けられたＲＢだけを利用することができる。ＵＥＲＳ ２０４は、対応する物理ＤＬ共有チャネル（ＰＤＳＣＨ）がマッピングされたリソースブロック上だけで送信される。各リソースエレメントによって搬送されるビット数は、変調スキームに依存する。このように、ＵＥが受信するリソースブロックが多いほど、および、変調スキームが高度であるほど、そのＵＥのためのデータレートは高くなる。
【００２４】
[0032]ＬＴＥ／−Ａにおいて、ｅＮＢは、ｅＮＢにおける各セルについてのプライマリ同期信号（ＰＳＳ）およびセカンダリ同期信号（ＳＳＳ）を送りうる。プライマリ同期信号およびセカンダリ同期信号はそれぞれ、ノーマルサイクリックプリフィックスの場合、各無線フレームのサブフレーム０および５の各々のシンボル期間６および５で送られうる。同期信号は、セル検出および獲得のためにＵＥによって使用されうる。ｅＮＢは、サブフレーム０のスロット１のシンボル期間０〜３において物理ブロードキャストチャネル（ＰＢＣＨ）を送りうる。ＰＢＣＨは、特定のシステム情報を搬送しうる。
【００２５】
[0033]ｅＮＢは、図２に見られるように、各サブフレームの第１のシンボル期間で物理制御フォーマットインジケータチャネル（ＰＣＦＩＣＨ）を送りうる。ＰＣＦＩＣＨは、制御チャネルに使用されるシンボル期間の数（Ｍ）を伝達しうる。ここで、Ｍは、１、２、または３に等しく、サブフレームごとに変わりうる。Ｍはまた、例えば１０より少ないリソースブロックを有する小さなシステム帯域幅の場合、４に等しい。図２で図示される例において、Ｍ＝３である。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送りうる。ＰＤＣＣＨおよびＰＨＩＣＨはまた、図２に図示される例において、最初の３つのシンボル期間に含まれる。ＰＨＩＣＨは、ハイブリッド自動再送（ＨＡＲＱ）をサポートするために情報を搬送しうる。ＰＤＣＣＨは、ＵＥに対するリソース割付についての情報と、ダウンリンクチャネルのための制御情報とを搬送しうる。ｅＮＢは、各サブフレームの残りのシンボル期間において物理ダウンリンク共有チャネル（ＰＤＳＣＨ）を送りうる。ＰＤＳＣＨは、ダウンリンクでのデータ送信に対してスケジューリングされた、ＵＥのためのデータを搬送しうる。
【００２６】
[0034]各サブフレームの制御セクション、すなわち、各サブフレームの第１のシンボル期間でＰＨＩＣＨおよびＰＤＣＣＨを送ることに加え、ＬＴＥ−Ａは同様に、各サブフレームのデータ部でも、これらの制御傾向チャネル（control-oriented channels）を送信しうる。図２に示されるように、データ領域を利用するこれらの新しい制御設計、例えば、中継物理ダウンリンク制御チャネル（Ｒ−ＰＤＣＣＨ）および中継物理ＨＡＲＱインジケータチャネル（Ｒ−ＰＨＩＣＨ）は、各サブフレームの後方のシンボル期間に含まれる。Ｒ−ＰＤＣＣＨは、元々は半二重中継動作（half-duplex relay operation）を背景に開発されたデータ領域を利用する新しいタイプの制御チャネルである。１つのサブフレームの最初のいくつかの制御シンボルを占有するレガシＰＤＣＣＨおよびＰＨＩＣＨとは異なり、Ｒ−ＰＤＣＣＨおよびＲ−ＰＨＩＣＨは、元々はデータ領域に指定されたリソースエレメント（ＲＥ）にマッピングされる。この新しい制御チャネルは、周波数分割多重（ＦＤＭ）、時分割多重（ＴＤＭ）、または、ＦＤＭとＴＤＭとの併用の形態をとりうる。
【００２７】
[0035]ｅＮＢは、ｅＮＢによって使用されるシステム帯域幅の中心１．０８ＭＨｚにおいてＰＳＳ、ＳＳＳ、およびＰＢＣＨを送りうる。ｅＮＢは、ＰＣＦＩＣＨおよびＰＨＩＣＨが送られる各シンボル期間において、システム帯域幅全体にわたってこれらのチャネルを送りうる。ｅＮＢは、システム帯域幅の特定の部分においてＵＥのグループにＰＤＣＣＨを送りうる。ｅＮＢは、システム帯域幅の特定の部分で、特定のＵＥにＰＤＳＣＨを送りうる。ｅＮＢは、ＰＳＳ、ＳＳＳ、ＰＢＣＨ、ＰＣＦＩＣＨ、およびＰＨＩＣＨをブロードキャスト方式ですべてのＵＥに送り、ＰＤＣＣＨをユニキャスト方式で特定のＵＥに送り、ＰＤＳＣＨをユニキャスト方式で特定のＵＥに送りうる。
【００２８】
[0036]１つのＵＥが、複数のｅＮＢのカバレッジ内にありうる。これらｅＮＢのうちの１つは、ＵＥをサービングするために選択されうる。サービングｅＮＢは、受信電力、パス損失、信号対雑音比（ＳＮＲ）、等のような様々な基準に基づいて選択されうる。
【００２９】
[0037]図３は、アップリンクロングタームエボリューション（ＬＴＥ／−Ａ）通信における例示的なフレーム構造３００を示すブロック図である。アップリンクに対して利用可能なリソースブロック（ＲＢ）は、データセクションと制御セクションとに分割されうる。制御セクションは、システム帯域幅の両端に形成され、設定可能なサイズを有しうる。制御セクションのリソースブロックは、制御情報の送信のためにＵＥに割り当てられうる。データセクションは、制御セクションに含まれないすべてのリソースブロックを含みうる。図３の設計は、連続したサブキャリアを含むデータセクションに帰着し、それによって、単一のＵＥに、データセクション内のすべての連続したサブキャリアが割り当てられうる。
【００３０】
[0038]ＵＥは、ｅＮＢに制御情報を送信するために、制御セクション内のリソースブロックが割り当てられうる。ＵＥはまた、ｅＮｏｄｅＢにデータを送信するために、データセクション内のリソースブロックも割り当てられうる。ＵＥは、制御セクション内の割り当てられたリソースブロック３１０ａおよび３１０ｂ上の物理アップリンク制御チャネル（ＰＵＣＣＨ）で制御情報を送信しうる。ＵＥは、データセクション内の割り当てられたリソースブロック３２０ａおよび３２０ｂ上の物理アップリンク共有チャネル（ＰＵＳＣＨ）でデータのみ、または、データと制御情報の両方を送信しうる。図３に示されるように、アップリンク送信は、サブフレームの両方のスロットにまたがり、周波数にわたってホッピングしうる。
【００３１】
[0039]図１に戻って参照すると、ワイヤレスネットワーク１００は、単位エリア（unit area）あたりのシステムのスペクトル効率を改善させるために、様々な（diverse set of）ｅＮＢ １１０（すなわち、マクロｅＮＢ、ピコｅＮＢ、フェムトｅＮＢ、およびリレー）を使用する。ワイヤレスネットワーク１００がそのスペクトルカバレッジに対してそのような異なるｅＮＢを使用するため、それは、別名、異種ネットワークとも呼ばれうる。マクロｅＮＢ １１０ａ−ｃは通常、ワイヤレスネットワーク１００のプロバイダによって念入りに計画され、設置されている。マクロｅＮＢ １１０ａ−ｃは一般的に、高い電力レベル（例えば、５Ｗ−４０Ｗ）で送信する。一般的に、かなり低い電力レベル（例えば、１００ｍＷ−２Ｗ）で送信するピコｅＮＢ １１０ｘおよび中継局１１０ｒは、マクロｅＮＢ １１０ａ−ｃによって提供されるカバレッジエリア内のカバレッジホールを取り除くため、および、ホットスポットにおける容量を改善するために比較的計画性のない方式で展開されうる。フェムトｅＮＢ １１０ｙ−ｚは、典型的にワイヤレスネットワーク１００から独立して展開されるが、それにもかかわらず、リソース調整および干渉管理の調整を実行するために、それらの管理者によって承認されている場合にはワイヤレスネットワーク１００への潜在的なアクセスポイントとして、または、少なくとも、ワイヤレスネットワーク１００の他のｅＮＢ １１０と通信しうるアクティブかつアウェア（aware）なｅＮＢとして、ワイヤレスネットワーク１００のカバレッジエリアに組み込まれうる。典型的にフェムトｅＮＢ １１０ｙ−ｚもまた、マクロｅＮＢ １１０ａ−ｃよりもかなり低い電力レベル（例えば、１００ｍＷ−２Ｗ）で送信する。
【００３２】
[0040]ワイヤレスネットワーク１００のような異種ネットワークの動作中、各ＵＥは通常、より優れた信号品質を有するｅＮＢ １１０によってサービングされるが、他のｅＮＢ １１０から受信される望ましくない信号は干渉として扱われる。このような動作原理は、有意に（significantly）準最適な（sub-optimal）性能をもたらすが、複数のｅＮＢ １１０間でのインテリジェントなリソース調整と、より優れたサーバ選択ストラテジと、効率的な干渉管理のためのより高度な技法とを使用することで、ネットワーク性能の利得がワイヤレスネットワーク１００において実現される。
【００３３】
[0041]ピコｅＮＢ １１０ｘのようなピコｅＮＢは、マクロｅＮＢ １１０ａ−ｃのようなマクロｅＮＢと比較した場合、かなり低い送信電力によって特徴付けられる。ピコｅＮＢは通常、アドホック方式で、ワイヤレスネットワーク１００のようなネットワークのあちこち（around）に設置されるだろう。この計画性のない展開によって、ワイヤレスネットワーク１００のような、ピコｅＮＢが設置されているワイヤレスネットワークは、低い信号対干渉条件を有する広いエリアを有していることが期待され、これは、カバレッジエリアまたはセルのエッジ上のＵＥ（「セルエッジ」ＵＥ）への制御チャネル送信にとって、より困難なＲＦ環境を生み出しうる。さらに、マクロｅＮＢ １１０ａ−ｃの送信電力レベルとピコｅＮＢ １１０ｘの送信電力レベルとの間の、潜在的に大きい（potentially large）差異（例えば、約２０ｄＢ）は、混在展開において（in a mixed deployment）、ピコｅＮＢ １１０ｘのダウンリンクカバレッジエリアが、マクロｅＮＢ １１０ａ−ｃのものよりも著しく小さくなるであろうことを暗に示している。
【００３４】
[0042]しかしながら、アップリンクのケースでは、アップリンク信号の信号強度は、ＵＥによって管理され、したがって、いかなるタイプのｅＮＢ １１０によって受信される場合でも類似したものになるであろう。ｅＮＢ １１０のためのアップリンクカバレッジエリアが、おおまかに同一または類似している場合、アップリンクハンドオフ境界は、チャネル利得に基づいて決定されるだろう。これは、ダウンリンクハンドオーバ境界とアップリンクハンドオーバ境界との不一致をもたらしうる。追加のネットワーク収容（network accommodation）がないと、この不一致は、サーバ選択、または、ｅＮＢへのＵＥの関連付けを、ダウンリンクハンドオーバ境界とアップリンクハンドオーバ境界とがより厳密に一致しているマクロｅＮＢだけの同種ネットワークの場合よりもワイヤレスネットワーク１００の場合に困難なものにするだろう。
【００３５】
[0043]サーバ選択が主にダウンリンク受信信号強度に基づいている場合、ワイヤレスネットワーク１００のような異種ネットワークの混在ｅＮＢ展開の有用性（usefulness）は、大いに減少するだろう。これは、マクロｅＮＢ １１０ａ−ｃのような、より高い動力源の（higher powered）マクロｅＮＢのより大きなカバレッジエリアが、ピコｅＮＢ １１０ｘのようなピコｅＮＢを有するセルカバレッジを分割することの利益を制限するためである。というのも、ピコｅＮＢ １１０ｘがその著しく弱いダウンリンク送信電力に起因していずれのＵＥもサービングしていない可能性のある間、マクロｅＮＢ １１０ａ−ｃのより高いダウンリンク受信信号強度が、利用可能なすべてのＵＥを引き付けるためである。さらに、マクロｅＮＢ １１０ａ−ｃは、これらのＵＥに効率的にサービングするのに十分なリソースを有していない可能性が高いだろう。このように、ワイヤレスネットワーク１００は、ピコｅＮＢ １１０ｘのカバレッジエリアを拡張することによって、マクロｅＮＢ １１０ａ−ｃとピコｅＮＢ １１０ｘとの間で負荷をアクティブに平衡に保とうと努めるだろう。この概念は、セル範囲拡大（ＣＲＥ）と呼ばれる。
【００３６】
[0044]ワイヤレスネットワーク１００は、サーバ選択が決定される方式を変えることによって、このＣＲＥを達成する。サーバ選択をダウンリンク受信信号強度に基づける代わりに、選択は、ダウンリンク信号の品質に基づく。１つのこのような品質ベースの決定において、サーバ選択は、ＵＥに与えるパス損失が最小であるｅＮＢを決定することに基づきうる。追加的に、ワイヤレスネットワーク１００は、マクロｅＮＢ １１０ａ−ｃとピコｅＮＢ １１０ｘとの間で、固定されたリソース分割を提供する。しかしながら、この負荷のアクティブな平衡化（balancing）があったとしても、マクロｅＮＢ １１０ａ−ｃからのダウンリンク干渉は、ピコｅＮＢ １１０ｘのような、ピコｅＮＢによってサービングされるＵＥに対して緩和されるべきである。これは、ＵＥでの干渉消去、複数のｅＮＢ １１０間でのリソース調整、等を含む、様々な方法によって達成されうる。
【００３７】
[0045]ワイヤレスネットワーク１００のような、セル範囲拡大を有する異種ネットワークにおいて、マクロｅＮＢ １００ａ−ｃのような、より高い動力源のｅＮＢから送信されたより強いダウンリンク信号の存在下で、ピコｅＮＢ １１０ｘのような、より低い動力源のｅＮＢからサービスをＵＥが取得するために、ピコｅＮＢ １１０ｘは、マクロｅＮＢ １１０ａ−ｃのうち支配的に干渉を引き起こしているものとの、制御チャネルおよびデータチャネルの干渉制御に従事している。干渉制御のための多くの異なる技法が、干渉を管理するために用いられうる。例えば、セル内干渉制御（ＩＣＩＣ：inter-cell interference coordination）は、同一チャネル展開におけるセルからの干渉を低減させるために使用されうる。１つのＩＣＩＣメカニズムは、適応リソース分割である。適応リソース分割は、特定のｅＮＢにサブフレームを割り当てる。第１のｅＮＢに割り当てられたサブフレームでは、近隣ｅＮＢは送信しない。このように、第１のｅＮＢによってサービングされるＵＥによって経験される干渉が低減される。サブフレーム割当は、アップリンクチャネルおよびダウンリンクチャネルの両方に実行されうる。
【００３８】
[0046]例えば、サブフレームは、保護サブフレーム（Ｕサブフレーム）、禁止サブフレーム（Ｎサブフレーム）、および共通サブフレーム（Ｃサブフレーム）という３つのクラスのサブフレームに割り付けられうる。保護サブフレームは、第１のｅＮＢによって排他的に使用されるために第１のｅＮＢに割り当てられる。保護サブフレームは、近隣ｅＮＢからの干渉が無いことに基づいて、別名、「クリーン」サブフレームと呼ばれうる。禁止サブフレームは、近隣ｅＮＢに割り当てられるサブフレームであって、第１のｅＮＢは、この禁止サブフレームの間、データを送信することが禁止されうる。例えば、第１のｅＮＢの禁止サブフレームは、干渉を引き起こす第２のｅＮＢの保護サブフレームに対応しうる。このように、第１のｅＮＢは、第１のｅＮＢの保護サブフレームの間にデータを送信する唯一のｅＮＢである。共通サブフレームは、複数のｅＮＢによるデータ送信のために使用されうる。共通サブフレームは、他のｅＮＢからの干渉の可能性があるため、別名、「クリーンではない」サブフレームと呼ばれうる。
【００３９】
[0047]少なくとも１つの保護サブフレームが、期間毎に静的に割り当てられる。いくつかのケースにおいて、１つの保護サブフレームだけが静的に割り当てられる。例えば、１つの期間が８ミリ秒である場合、１つの保護サブフレームが、８ミリ秒間ごとに、ｅＮＢに静的に割り当てられうる。他のサブフレームは、動的に割り付けられうる。
【００４０】
[0048]適応リソース分割情報（ＡＲＰＩ）は、非静的に割り当てられたサブフレームが、動的に割り付けられることを可能にする。保護サブフレーム、禁止サブフレーム、または共通サブフレーム（それぞれ、ＡＵサブフレーム、ＡＮサブフレーム、ＡＣサブフレーム）のいずれかが、動的に割り付けられうる。動的な割当は、速く、例えば、１００ミリ秒ごとに、または、それ未満で変化しうる。
【００４１】
[0049]異種ネットワークは、異なる電力クラスのｅＮＢを有しうる。例えば、大きい電力クラスから順に、マクロｅＮＢ、ピコｅNＢ、およびフェムトｅＮＢという３つの電力クラスが定義されうる。マクロｅＮＢ、ピコｅＮＢ、およびフェムトｅＮＢが同一チャネルの展開である場合、マクロｅＮＢ（侵略側（aggressor）ｅＮＢ）の電力スペクトル密度（ＰＳＤ）は、ピコｅＮＢおよびフェムトｅＮＢ（被害側（victim）ｅＮＢ）のＰＳＤよりも大きく、これは、ピコｅＮＢおよびフェムトｅＮＢへの大量の干渉を作り出す。保護サブフレームは、ピコｅＮＢおよびフェムトｅＮＢへの干渉を低減させるまたは最小化するために使用されうる。すなわち、保護サブフレームは、侵略側ｅＮＢの禁止サブフレームと対応するように被害側ｅＮＢにスケジューリングされうる。
【００４２】
[0050]図４は、本開示の一態様に係る、異種ネットワークにおける時分割多重（ＴＤＭ）分割を示すブロック図である。ブロックからなる第１の行は、フェムトｅＮＢのためのサブフレーム割当を示し、ブロックからなる第２の行は、マクロｅＮＢのためのサブフレーム割当を示す。ｅＮＢの各々は、静的な保護サブフレームを有し、その間に、他のｅＮＢは、静的な禁止サブフレームを有する。例えば、フェムトｅＮＢは、サブフレーム０の禁止サブフレーム（Ｎサブフレーム）に対応して、サブフレーム０に保護サブフレーム（Ｕサブフレーム）を有する。同様に、マクロｅＮＢは、サブフレーム７の禁止サブフレーム（Ｎサブフレーム）に対応して、サブフレーム７に保護サブフレーム（Ｕサブフレーム）を有する。サブフレーム１−６は、保護サブフレーム（ＡＵ）、禁止サブフレーム（ＡＮ）、および共通サブフレーム（ＡＣ）のいずれかとして動的に割り当てられる。サブフレーム５−６内の動的に割り当てられた共通サブフレーム（ＡＣ）の間、フェムトｅＮＢおよびマクロｅＮＢは両方ともデータを送信しうる。
【００４３】
[0051]保護サブフレーム（Ｕ／ＡＵサブフレームのような）は、侵略側ｅＮＢが送信することを禁止されているため、低減された干渉と、高いチャネル品質を有する。禁止サブフレーム（Ｎ／ＡＮサブフレームのような）は、被害側ｅＮＢが低い干渉レベルでデータを送信することができるように、データ送信を有していない。共通サブフレーム（Ｃ／ＡＣサブフレームのような）は、データを送信する近隣ｅＮＢの数に依存したチャネル品質を有している。例えば、近隣ｅＮＢが、共通サブフレーム上でデータを送信している場合、この共通サブフレームのチャネル品質は、保護サブフレームよりも低い可能性がある。共通サブフレームのチャネル品質はまた、侵略側ｅＮＢから強い影響を受けるセル範囲拡張（ＣＲＥ）エリアのＵＥの場合、より低い可能性がある。ＣＲＥのＵＥは、第１のｅＮＢに属しうるが、第２のｅＮＢのカバレッジエリア内にも位置付けられうる。例えば、フェムトｅＮＢカバレッジの範囲限界の近くにあるマクロｅＮＢと通信しているＵＥは、ＣＲＥのＵＥである。
【００４４】
[0052]ＬＴＥ／−Ａにおいて用いられうる別の例示的な干渉管理スキームは、遅適応型干渉管理（slowly-adaptive interference management）である。このアプローチを干渉管理に使用することで、リソースはネゴシエートされ、スケジューリングインターバルよりも著しく長い時間スケールにわたって割り付けられる。このスキームの目標は、すべての時間または周波数リソースにわたり、送信側のｅＮＢおよびＵＥのすべてにとって、ネットワークの総効用（total utility）を最大化する送信電力の組み合わせを見つけることである。「効用」は、ユーザデータレート、サービス品質（ＱｏＳ）フローの遅延、および公平性メトリックの関数として定義されうる。このようなアルゴリズムは、最適化を解決するために使用されるすべての情報へのアクセスを有し、例えば、ネットワークコントローラ１３０（図１）のような、すべての送信側エンティティにわたって制御を有する中央エンティティによって計算されうる。この中央エンティティは、常に実用的なわけではなく、望ましくないことさえある。したがって、代替的な態様において、特定のノードのセットからのチャネル情報に基づいてリソースの用法を決定する分散アルゴリズムが使用されうる。このように、遅適応型干渉アルゴリズムは、中央エンティティを使用して、または、ネットワークにおいて、ノード／エンティティの様々なセットにわたってこのアルゴリズムを分散させることによって、展開されうる。
【００４５】
[0053]ワイヤレスネットワーク１００のような、異種ネットワークの展開において、ＵＥは、そのＵＥが干渉を引き起こす１つ以上のｅＮＢからの高い干渉を観測しうる支配的な干渉シナリオにおいて動作しうる。支配的な干渉シナリオは、制限された関連付けによって生じうる。例えば、図１において、ＵＥ １２０ｙは、フェムトｅＮＢ １１０ｙの近くにあり、そのｅＮＢ １１０ｙに対して高い受信電力を有しうる。しかしながら、ＵＥ １２０ｙは、制限された関連付けのために、フェムトｅＮＢ １１０ｙにアクセスすることができない可能性があり、その結果、マクロｅＮＢ １１０ｃ（図１に図示される）に接続されるか、または、同様により低い受信電力のフェムトｅＮＢ １１０ｚ（図１に図示されない）に接続されうる。次に、ＵＥ １２０ｙは、ダウンリンクではフェムトｅＮＢ １１０ｙからの高い干渉を観測し、アップリンクではｅＮＢ １１０ｙに対する高い干渉を引き起こしうる。調整された干渉管理を使用することで、ｅＮＢ １１０ｃおよびフェムトｅＮＢ １１０ｙは、バックホール１３４を通して通信し、リソースをネゴシエートしうる。このネゴシエーションにおいて、フェムトｅＮＢ １１０ｙは、ＵＥ １２０ｙが、フェムトｅＮＢ １１０ｙからの干渉を、その同一のチャネルにわたってｅＮＢ １１０ｃと通信すると同じだけ経験しないように、そのチャネルリソースのうちの１つでの送信を中止することに同意する。
【００４６】
[0054]このような支配的な干渉シナリオにおける、ＵＥで観測される信号電力の不一致に加えて、同期システムにおいてさえも、ＵＥと複数のｅＮＢと間の異なる距離に起因して、ダウンリンク信号のタイミング遅延も、ＵＥによって観測されうる。同期システムでのｅＮＢは、このシステムにわたって推測して同期される。しかしながら、例えば、マクロｅＮＢから５ｋｍの距離にあるＵＥを考慮すると、そのマクロｅＮＢから受信される任意のダウンリンク信号の伝播遅延は、約１６．６７μｓ（５ｋｍ÷３×１０８、すなわち、光速「ｃ」）遅らされるだろう。マクロｅＮＢからのダウンリンク信号を、より一層近くにあるフェムトｅＮＢからのダウンリンク信号と比較すると、タイミング差分は、有効期間（ＴＴＬ）誤差のレベルに近づきうる。
【００４７】
[0055]加えて、このようなタイミング差分は、ＵＥでの干渉消去に影響を与えうる。干渉消去は、同じ信号の複数のバージョンの組み合わせの間で相互相関プロパティを使用することが多い。信号の各複製上に干渉が存在する可能性が高い一方、これは同じロケーションにない可能性が高いため、同じ信号の複数の複製を組み合わせることで、干渉がより簡単に識別されうる。組み合わせられた信号の相互相関を使用することで、実際の信号の一部が決定され、干渉と区別され、それによって、干渉を消去することができる。
【００４８】
[0056]図５は、基地局／ｅＮＢ １１０およびＵＥ １２０の設計のブロック図を示し、これらは、図１における基地局／ｅＮＢのうちの１つおよびＵＥのうちの１つでありうる。制限された関連付けシナリオの場合、ｅＮＢ １１０は、図１におけるマクロｅＮＢ １１０ｃであり、ＵＥ １２０は、ＵＥ １２０ｙでありうる。ｅＮＢ １１０はまた、ある他のタイプの基地局でありうる。ｅＮＢ １１０は、アンテナ５３４ａ〜５３４ｔを備え、ＵＥ １２０は、アンテナ５５２ａ〜５５２ｒを備えうる。
【００４９】
[0057]ｅＮＢ １１０において、送信プロセッサ５２０は、データソース５１２からデータを受信し、コントローラ／プロセッサ５４０から制御情報を受信する。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。送信プロセッサ５２０は、これらのデータおよび制御情報を処理（例えば、符号化およびシンボルマッピング）して、それぞれデータシンボルおよび制御シンボルを取得しうる。送信プロセッサ５２０はまた、例えば、ＰＳＳ、ＳＳＳ、およびセル固有基準信号のための基準シンボルを生成しうる。送信（ＴＸ）多入力多出力（ＭＩＭＯ）プロセッサ５３０は、適用可能であれば、これらデータシンボル、制御シンボル、および／または基準シンボルに対して空間処理（例えば、プリコーディング）を実行し、変調器（ＭＯＤ）５３２ａ〜５３２ｔに出力シンボルストリームを提供しうる。各変調器５３２は、それぞれの出力シンボルストリーム（例えば、ＯＦＤＭ等のための）を処理して、出力サンプルストリームを取得しうる。各変調器５３２は、この出力サンプルストリームをさらに処理（例えば、アナログ変換、増幅、フィルタリング、およびアップコンバート）して、ダウンリンク信号を取得しうる。変調器５３２ａ〜５３２ｔからのダウンリンク信号はそれぞれ、アンテナ５３４ａ〜５３４ｔを介して送信されうる。
【００５０】
[0058]ＵＥ １２０において、アンテナ５５２ａ〜５５２ｒは、ｅＮＢ １１０からダウンリンク信号を受信し、それぞれ復調器（ＤＥＭＯＤ）５５４ａ〜５５４ｒに受信信号を提供しうる。各復調器５５４は、それぞれの受信信号を調整（例えば、フィルタリング、増幅、ダウンコンバート、およびデジタル化）して、入力サンプルを取得しうる。各復調器５５４は、この入力サンプル（例えば、ＯＦＤＭ等のための）をさらに処理して、受信シンボルを取得する。ＭＩＭＯ検出器５５６は、すべての復調器５５４ａ〜５５４ｒからの受信シンボルを取得し、適用可能であれば、これら受信シンボルに対してＭＩＭＯ検出を実行し、検出したシンボルを提供する。受信プロセッサ５５８は、検出されたシンボルを処理（例えば、復調、デインタリーブ、および復号）し、ＵＥ １２０のための復号されたデータをデータシンク５６０に提供し、復号された制御情報をコントローラ／プロセッサ５８０に提供しうる。
【００５１】
[0059]アップリンクでは、ＵＥ １２０において、送信プロセッサ５６４は、データソース５６２からデータ（例えば、ＰＵＳＣＨのための）を受信および処理し、コントローラ／プロセッサ５８０から制御情報（例えば、ＰＵＣＣＨのための）を受信および処理しうる。送信プロセッサ５６４はまた、基準信号のための基準シンボルを生成しうる。送信プロセッサ５６４からのシンボルは、適用可能であれば、ＴＸ ＭＩＭＯプロセッサ５６６によってプリコーディングされ、復調器５５４ａ〜５５４ｒ（例えば、ＳＣ−ＦＤＭ、等のための）によってさらに処理され、ｅＮＢ １１０に送信されうる。ｅＮＢ １１０において、ＵＥ １２０からのアップリンク信号は、アンテナ５３４によって受信され、変調器５３２によって処理され、適用可能であれば、ＭＩＭＯ検出器５３６によって検出され、受信プロセッサ５３８によってさらに処理され、ＵＥ １２０によって送られた復号されたデータおよび制御情報が取得されうる。プロセッサ５３８は、復号されたデータをデータシンク５３９に提供し、復号された制御情報をコントローラ／プロセッサ５４０に提供しうる。
【００５２】
[0060]コントローラ／プロセッサ５４０および５８０は、それぞれ、ｅＮＢ １１０およびＵＥ １２０での動作を指揮しうる。コントローラ／プロセッサ５４０および／またはｅＮＢ １１０の他のプロセッサおよびモジュールは、本明細書で説明される技法のための様々なプロセスの実行を遂行または指揮しうる。コントローラ／プロセッサ５８０および／またはＵＥ １２０の他のプロセッサおよびモジュールは、図７および図１０に示されている機能ブロック、および／または、本明細書で説明される技法のための他のプロセスの実行を遂行または指揮しうる。メモリ５４２および５８２は、それぞれ、ｅＮＢ １１０およびＵＥ １２０のためのデータおよびプログラムコードを記憶しうる。スケジューラ５４４は、ダウンリンクおよび／またはアップリンクでのデータ送信のためにＵＥをスケジューリングしうる。
【００５３】
[0061]図６は、低電力無線リソースヘッド（ＲＲＨ）を使用する異種ネットワーク（ＨｅｔＮｅｔ）多地点協調（ＣｏＭＰ）セル、セル６０、を示す図である。セル６０は、マクロｅＮＢ ６００によってサービングされうる。セル６０内において、マクロノード６００とともに低電力ノード、ＲＲＨ ６０２、６０４、および６０５、を通してＨｅｔＮｅｔ通信を提供する複数のＲＲＨが展開される。ＲＲＨ ６０３は、セル６０の外側に位置付けられているが、そのセル範囲拡張領域は、セル６０のカバレッジエリアにオーバラップする。ＵＥ ６１０および６１４はそれぞれ、ＲＲＨ ６０４および６０２のカバレッジゾーン内に位置付けられる。ＲＲＨ ６０４および６０２はそれぞれ、データ送信６１６および６２４と制御送信６１７および６２５とがそれぞれＲＲＨ ６０４および６０２によってサービングされる従来のＬＴＥ条件の下で、ＵＥ ６１０および６１４にサービングする。ＵＥ ６１１および６１２は、それぞれ、ＲＲＨ ６０３および６０５のセル範囲拡張ゾーン内に存在し、さらに、それぞれカバレッジゾーン６０８および６０６と帯域幅エッジ６０９および６０７との間に存在する。ＲＲＨ ６０３は、セル６０の外側に位置しているが、ＵＥ ６１１は、依然として、その範囲拡張ゾーン内のＲＲＨ ６０との通信に従事しうる。示されるように、データ送信６１８は、ＲＲＨ ６０３によってサービングされるが、制御送信６１９は、結合解除され、マクロｅＮＢ ６００によってサービングされうる。同様に、ＵＥ ６１２は、ＲＲＨ ６０５からのデータ送信６２１から結合解除された制御送信６２０をマクロｅＮＢ ６００から受信する。ＵＥ ６１３および６１５は、マクロｅＮＢ ６００のカバレッジゾーン内にのみ位置付けられる。よって、制御送信６２２および６２７はそれぞれ、および、データ送信６２３および６２６はそれぞれ、マクロｅＮＢ ６００によって提供される。
【００５４】
[0062]それぞれＵＥ ６１１および６１２への結合解除された制御送信６１９および６２０ならびにデータ送信６１８および６２１の構成は、マクロｅＮＢ ６００が、干渉消去能力のないＵＥにデータ送信をオフロードすることを可能にしうる。例えば、ＵＥ ６１２は、干渉能力を有していない。セル６０を分析する際、ＵＥ ６１１および６１２は、マクロｅＮＢ ６００を最強セルとみなす。したがって、制御送信およびデータ送信の両方が、それぞれＲＲＨ ６０３および６０５によってサービングされる場合、ＵＥ ６１１および６１２が正確に対処するには多すぎる干渉が制御送信に存在しうる。したがって、マクロｅＮＢ ６００への制御送信６１９および６２０を結合解除することで、効率的な制御およびデータのダウンロードプロセスが、それぞれ、ＵＥ ６１１および６１２と確立されうる。
【００５５】
[0063]データ送信と制御送信とは、複数の基地局間で結合解除されうるが、そのような基地局は各々、共通基準信号（ＣＲＳ）をブロードキャストし続ける。しかしながら、ＰＤＳＣＨを通るデータは、制御信号が発信されるマクロｅＮＢとは異なるロケーションにあるＲＲＨから来るため、制御信号を送信するマクロｅＮＢから受信される信号と、結合解除されたデータ送信に対処するＲＲＨから受信される信号との間でタイミング不一致が存在しうる。ＵＥは、制御信号に関連付けられたＣＲＳタイミングを使用して、異なるネットワークエンティティから受信されたデータの復調を試みるため、このタイミング不一致は、ＵＥに、着信データを不正確に復調させる。さらに、ネットワークは、結合解除された送信をサブフレーム単位で対処するために、ｅＮＢ、ＲＲＨ、または他のそのような基地局の間で動的に切り替わりうる。この切替は、ＵＥに関して、透過的に起こる。ネットワークは、ＵＥに、どのエンティティがそれにデータを送っているかについてシグナリングしない。
【００５６】
[0064]本開示の一態様は、タイミング誤差を推定するために、ＰＤＳＣＨで送信されたＵＥ基準信号（ＵＥＲＳ）を使用する。ＵＥＲＳは、ＰＤＳＣＨ復調のためのＵＥ固有のＲＳであり、これは、ＰＤＳＣＨで送信される。ＵＥＲＳタイミング推定値は、サブフレームごとのＵＥＲＳ送信に基づく。ＵＥＲＳは、発信元のネットワークエンティティがサブフレームごとに切り替わりうるため、複数のサブフレームから組み合わせられない。しかしながら、ＵＥＲＳベースのタイミング推定値は、ＵＥＲＳに割り付けられたＰＤＳＣＨ ＲＢをすべて組み合わせるだろう。ＣｏＭＰ以外のシステムの場合、ＵＥは、ＣＲＳを用いて、ダウンリンク送信におけるタイミング誤差推定値を算出しうる。実際、ＣＲＳを用いて算出されるタイミング誤差推定値は、典型的に、より正確である。しかしながら、上述されたように、ＵＥは、どのネットワークエンティティ（例えば、ｅＮＢ、ＲＲＨ、ピコｅＮＢ、フェムトｅＮＢ、等）が、データを送信しており、どれが制御信号を送信しているかについて知らない。このように、特定のネットワークエンティティ、なおＣＲＳはここから受信される、についての知識が無い場合、ＵＥは、タイミング誤差推定値を正確に算出するためにどのＣＲＳを使用するか決定することができないだろう。ゆえに、本開示の態様は、タイミング誤差を推定するためにＵＥＲＳ信号を使用する。
【００５７】
[0065]各ＵＥＲＳベースのＲＢは、ランクまたは多入力多出力（ＭＩＭＯ）状態に依存して利用可能な特定の数のＵＥＲＳ信号を有する。例えば、ランク１または２の場合、１２個の利用可能なＵＥＲＳ信号が存在し、ランク３または４の場合、２４個の利用可能なＵＥＲＳ信号が存在しうる。タイミング誤差推定を実行するために使用されるＵＥＲＳ信号は、すでに、逆拡散されている。逆拡散（de-spreading）の後、ＵＥＲＳ信号は、ＵＥＲＳトーン上のチャネル係数に、ＵＥＲＳトーン上の加法性白色ガウス雑音（added white Gaussian noise）（ＡＷＧＮ）を追加したものと本質的に同等である。２つの隣接ＵＥＲＳトーン間でチャネルがコヒーレントであると想定すれば、１つのＵＥＲＳトーン上のチャネルは、隣接ＵＥＲＳトーン上のチャネルに位相ランピングタームを乗じたものとして、周波数ドメインにおいて、おおまかにモデリングされうる。周波数ドメインにおけるこの位相ランピングは、実質的に、時間ドメインにおけるタイミング誤差と同等である。時間誤差推定値を算出する際、この周波数ドメインベースのモデルは、割り当てられたすべてのＵＥＲＳベースのＰＤＳＣＨ ＲＢにわたり、すべてのＵＥＲＳトーンに適用される。
【００５８】
[0066]それにしたがってモデリングされると、位相ランピングタームを推定するために、結果として得られたモデリングされたＵＥＲＳトーンに対して推定器が適用される。例えば、位相ランピングタームを推定するために、最大比結合（ＭＲＣ）推定器が、モデリングされたＵＥＲＳトーンに適用されうる。本開示のさらなる態様において、最小平均二乗誤差（ＭＭＳＥ）推定器、単純平均推定器、等を含む、他のタイプの推定器が適用されうる。結果として得られた周波数ドメイン位相ランピングターム推定値は、次に、タイミング誤差推定値を決定するために、時間ドメインにマッピングされうる。このマッピングは、逆正接関数、等を含む、任意の数の異なるマッピング技法を用いて実現されうる。
【００５９】
[0067]図７は、本開示の一態様を実現するために実行される例示的なブロックを示す機能ブロック図である。ＵＥＲＳ信号を使用して復調のためのタイミング誤差を推定することに加えて、ＵＥＲＳベースのタイミング誤差推定値はまた、利用可能なＣＲＳ信号の助けを借りて、より正確なタイミング誤差推定値を生成するために使用されうる。このように、ブロック７００において、ＵＥは、ＵＥＲＳおよび少なくとも１つのＣＲＳを受信する。
【００６０】
[0068]ブロック７０１において、受信されたＣＲＳの各々に基づいて、ＣＲＳタイミング推定値が推定されうる。ＵＥは、様々な基地局からブロードキャストされた多数のＣＲＳ信号を受信するロケーションに存在しうる。ＣＲＳ信号のうちのいくつかは、同じセル内の基地局、マクロｅＮＢ、ＲＲＨ、フェムトｅＮＢ、ピコｅＮＢ、等からブロードキャストされたものとして、セルＩＤを共有しうるが、ＣＲＳ信号のうちのほかのものは、異なるセルの基地局から発信されうる。
【００６１】
[0069]ブロック７０２において、ＵＥＲＳタイミング推定値は、受信されたＵＥＲＳ信号に少なくとも部分的に基づいてなされる。上述されたように、ＵＥＲＳタイミング推定値は、割り当てられたすべてのＵＥＲＳベースのＰＤＳＣＨ ＲＢにわたってＵＥＲＳトーン内のすべてのチャネルをモデリングし、周波数ドメイン誤差を生成するために、モデリングされたチャネルに対して推定器を適用し、この周波数ドメイン誤差をＵＥＲＳタイミング推定値へとマッピングすることで推定されうる。
【００６２】
[0070]ＵＥは、ブロック７０３において、タイミング差分を決定するために、ＵＥＲＳタイミング推定値をＣＲＳタイミング推定値の各々と比較する。ＵＥＲＳタイミング推定値が基づくＵＥＲＳ信号は、一般的に、ＵＥにおいて受信されたＣＲＳ信号のうちの１つとアラインされる。
【００６３】
[0071]ブロック７０４において、ＵＥは、行われたＣＲＳタイミング推定値のうちの１つに関連付けられた、アラインされたＣＲＳタイミング推定値を識別し、ここで、ＵＥは、タイミング差分に基づいて、アライメントを識別する。ＵＥが、ＵＥＲＳタイミング推定値を、生成されたＣＲＳタイミング推定値の各々と比較すると、一般的に、最小タイミング差分を作り出すペアリングは、ＵＥＲＳタイミング推定値がアラインされたＣＲＳ信号と関連ＣＲＳタイミング推定値とを明らかにするだろう。
【００６４】
[0072]ＵＥは、ブロック７０５において、ダウンリンクデータチャネルで搬送されたデータを復調する。この復調は、アラインされたＣＲＳ推定値とＵＥＲＳタイミング推定値との組み合わせに基づいて、アラインされたＣＲＳタイミング推定値、または、平均タイミング誤差推定値のうちのいずれかである代用のタイミング推定値に基づく。前述されたように、ＣＲＳに基づいたタイミング誤差推定値は一般的に、ＵＥＲＳベースのタイミング誤差推定値よりも正確である。したがって、ＵＥは、ＵＥＲＳタイミング推定値の代わりにＣＲＳタイミング推定値を用いることによって、復調を改善しうる。代替的に、ＵＥは、ＣＲＳタイミング推定値とＵＥＲＳタイミング推定値の両方の組み合わせに基づいた平均誤差推定値を用いることにより、より一層正確なタイミング誤差推定値を算出しうる。
【００６５】
[0073]図８Ａは、本開示の一態様にしたがって構成されたＵＥ ８０１を示すブロック図である。ＵＥ ８０１は、データ送信８０４と制御送信８０５とを基地局８００から受信する。この構成は、ＣｏＭＰ実現のない典型的なＬＴＥアドバンスド接続を表す。この構成において、ＵＥ ８０１は、両方の信号が基地局８００から発信されているため、ＵＥＲＳベースのタイミング誤差推定値を、ＣＲＳベースのタイミング誤差推定値と単純に置き換えうる。しかしながら、推定されたタイミング誤差を単純に置き換える代わりに、新たな重み付けされた推定値が生成される。ＵＥ ８０１は、新たな重み付けされた推定値を生成するために、ＵＥＲＳベースのタイミング誤差推定値とＣＲＳベースのタイミング誤差推定値との重み付けされた組み合わせを実行する。ＣＲＳベースのタイミング誤差推定値は一般的に、より正確であるため、それは、重み付けられた組み合わせにおいて、ＵＥＲＳベースのタイミング誤差推定値よりも多くの重みが与えられうる。
【００６６】
[0074]図８Ｂは、本開示のある態様にしたがって構成されたＵＥ ８０１を示すブロック図である。ＵＥ ８０１は、動的ポイント選択を有するＣｏＭＰシステムに位置付けられる。動的ポイント選択構成において、データ送信は、基地局８００および８０２のような基地局のうち、ＵＥ ８０１のようなサービングされるＵＥへの、より有益な信号パスを有する方によって提供されうる。このように、データ送信は、第１のサブフレームでデータ送信８０７ａを基地局８０２において発信することから、次のサブフレームでデータ送信８０７ｂを基地局８００において発信することに切り替わる、等、条件が切替にとって有益である場合はいつでも切り替わる。ＵＥ ８０１は、この切替に気づかないが、その代わり、データ送信８０７ａおよび８０７ｂを単純に受信するだけである。基地局８００および基地局８０２は、異なるセルに存在し、よって、異なるセルＩＤを有する。例えば、図６に戻って参照すると、基地局８００は、セル６０内のマクロｅＮＢ ６００であり、基地局８０２は、セル６０の外側のＲＲＨ ６０３でありうる。基地局８００および８０２が２つの異なるセルに位置付けられているため、各セルに対して１つの２つのタイミング誤差推定値を提供することができる２つの異なるＣＲＳが存在するだろう。しかしながら、各サブフレームに対して、１つのＵＥＲＳベースのタイミング誤差推定値しか存在しないであろう。
【００６７】
[0075]サブフレーム１において、ＰＤＳＣＨは、基地局８０２からのデータ送信８０７ａで送信される。このように、サブフレーム１において、基地局８０２からのＣＲＳベースのタイミング誤差推定値およびＵＥＲＳベースのタイミング誤差推定値は、基地局８０２からのＵＥＲＳベースのタイミング誤差推定値および基地局８００からのＣＲＳベースのタイミング誤差推定値よりも厳密に一致すべきである。サブフレーム２において、ＰＤＳＣＨは、基地局８００からのデータ送信８０７ｂで送信される。このように、同様に、基地局８００からのＣＲＳベースのタイミング誤差推定値およびＵＥＲＳベースのタイミング誤差推定値は、基地局８０２からのＣＲＳを用いた場合よりも厳密に一致すべきである。ＵＥ ８０１は、どの基地局がＰＤＳＣＨを送信したかを決定するために、ＵＥＲＳベースのタイミング誤差推定値とＣＲＳベースの推定値の各々とのタイミング差分を比較する論理を含む。この決定が行われると、ＵＥ ８０１は、ＵＥＲＳベースのタイミング誤差推定値を、識別された基地局からブロードキャストされたＣＲＳ、例えば、データ送信８０７ａを有するサブフレーム１の間の基地局８０２からのＣＲＳ、または、データ送信８０７ｂ有するサブフレーム２の間の基地局８００からのＣＲＳ、のＣＲＳベースのタイミング誤差推定値と単純に置き換えうる。代替的に、ＵＥ ８０１は、ＵＥＲＳベースのタイミング誤差推定値と、識別された基地局からブロードキャストされたＣＲＳからのＣＲＳベースのタイミング誤差推定値との重み付けされた組み合わせに基づいて、新たな重み付けされた推定値を生成する。
【００６８】
[0076]図８Ｃは、本開示の一態様にしたがって構成されたＵＥ ８０１を示すブロック図である。ＵＥ ８０１は、動的ポイント選択を有するＣｏＭＰシステムに位置付けられる。示された例は、基地局８００が制御送信８０６を提供し、基地局８０３がデータ送信８０９と制御送信８１０とを提供する単一の瞬間サブフレームを表す。よって、制御信号は、合成チャネルで到達する。基地局８００および８０３はまた、各々が同じセルＩＤを有する同じセルに存在する。このように、ＣＲＳは、１つのタイミング誤差推定値しか提供することができない。しかしながら、基地局８００および８０３は各々同じセルＩＤを有するが、ＣＲＳ信号は、それらの異なる地理的ロケーションにより、わずかに不一致でありうる。このように、正確なタイミング誤差推定値を提供するために、合成チャネルの第１の到達パスに対応するＣＲＳ信号が選択されるだろう。次に、このＣＲＳベースのタイミング誤差推定値は、ＵＥＲＳベースのタイミング誤差推定値のバウンド（bound）になる。
【００６９】
[0077]例えば、ＵＥＲＳベースのタイミング誤差推定値がＣＲＳベースの誤差推定値と同期またはそれよりも早い場合、このＣＲＳ、ＰＤＳＣＨ、およびＵＥＲＳが同じ基地局、基地局８０３、から送信されることをその関係が提案すると、ＵＥは、ＵＥＲＳベースのタイミング誤差推定値を、ＣＲＳベースの誤差推定値と置き換えるだろう。対照的に、ＵＥＲＳベースのタイミング誤差推定値が、第１の到達パスのＣＲＳからのＣＲＳベースの誤差推定値よりも後の場合、ＵＥ ８０１は、ＵＥＲＳベースのタイミング誤差を使用するだろう。
【００７０】
[0078]図８Ｄは、本開示の一態様にしたがって構成されたＵＥ ８０１を示すブロック図である。示されるように、ＵＥ ８０１は、示される瞬間サブフレームにおいて、基地局８００が制御送信８１１およびデータ送信８１２を提供し、基地局８０３が、制御送信８１３およびデータ送信８１４を提供する、動的ポイント選択を有するＣｏＭＰシステムに位置付けられうる。基地局８００および８０３の各々は、共同の制御送信８１１および８１３およびデータ送信８１２および８１４に参加する。繰り返すが、基地局８００および８０３の各々は、同じセルＩＤを共有し、よって、ＣＲＳを共有する。また、基地局８００および８０３の各々は、制御信号およびデータ信号を共同して送信する。したがって、図８Ａに示されるように、ＵＥ ８０１は、ＵＥＲＳベースのタイミング誤差推定値をＣＲＳベースのタイミング誤差推定値と置き換えるか、ＵＥＲＳベースのタイミング誤差推定値とＣＲＳベースのタイミング誤差推定値との重み付けされた組み合わせに基づいて、新たな重み付けされた推定値を生成するかのいずれかを行いうる。
【００７１】
[0079]図９は、本開示の一態様にしたがって構成されたＵＥ ８０１の詳細図を概念的に示すブロック図である。ＵＥ ８０１は、コントローラ／プロセッサ５８０を含む。コントローラ／プロセッサ５８０は、ハードウェアコンポーネントを制御し、ＵＥ ８０１の特徴および機能を提供するコンピュータプログラムコード命令を実行する。メモリ５８２は、コントローラ／プロセッサ５８０に結合され、それによってアクセス可能であり、様々なコンポーネント、モジュール、機能、および特徴についてのプログラムコード命令を記憶し、ＵＥ ８０１によって受信または維持されうる情報、信号、および／またはデータも記憶する。
【００７２】
[0080]動作中、ＵＥ ８０１は、コントローラ／プロセッサ５８０の制御下で、ダウンリンクデータ信号およびＣＲＳ信号を、受信機９００を通して受信する。図５を参照すると、受信機９００は、アンテナ５５２ａ−ｒ、ＭＩＭＯ検出器５５６、受信プロセッサ５５８に加え、変調器５５４ａ−ｒを含みうる復調器９０５として、そのようなハードウェアおよび機能コンポーネントを含みうる。受信されたダウンリンクデータ信号は、ＵＥＲＳベースのＲＢの各々に関連付けられたＵＥＲＳ信号を含む。このように、これらのコンポーネントの組み合わせは、ＵＥＲＳおよびＣＲＳを受信するための手段を提供する。
【００７３】
[0081]ＵＥ ８０１は、それが受信したＣＲＳ信号の各々についてのＣＲＳベースのタイミング誤差推定値を生成する。コントローラ／プロセッサ５８０は、受信されたＣＲＳ信号に基づいてタイミング誤差推定値を提供するように推定器９０３を動作するため、メモリ５８２に記憶された推定コードを実行する。これらのコンポーネントの組み合わせは、受信されたＣＲＳ信号の各々に基づいて、少なくとも１つのＣＲＳタイミング推定値を推定するための手段を提供する。
【００７４】
[0082]推定器９０３を生成するために、コントローラ／プロセッサ５８０によって実行されるメモリ５８２内のプログラムコードが、様々な異なる推定スキームを提供しうることに注意されたい。加えて、コントローラ／プロセッサ５８０は、タイミング誤差推定値および復調プロセスの異なる部分の間に、アプリケーションに対して異なる推定スキームを実行しうる。
【００７５】
[0083]ＵＥ ８０１はまた、ＵＥＲＳベースのタイミング誤差推定値を生成しうる。コントローラ／プロセッサ５８０の制御下で、逆拡散器９０１は、処理のために、受信されたＵＥＲＳチャネルを準備する。コントローラ／プロセッサ５８０は、チャネルモデリングコンポーネント９０２を動作するために、メモリ５８２内のプログラムコードを実行する。チャネルモデリングコンポーネント９０２は、隣接ＵＥＲＳトーン上のチャネルに位相ランピングタームを乗じたものとして、すべてのＵＥＲＳベースのダウンリンクデータチャネルＲＢにわたってＵＥＲＳトーン上の各チャネルをモデリングする。次に、コントローラ／プロセッサ５８０は、モデリングされたＵＥＲＳチャネル上で推定器９０３を動作するために、プログラムコードを実行する。推定器９０３からの結果として得られた推定値は、モデリングされたＵＥＲＳチャネルに関連付けられた位相ランピングタームである。コントローラ／プロセッサ５８０は、マッピングコンポーネント９０４を動作するために、メモリ５８２内のプログラムコードを実行する。マッピングコンポーネント９０４は、位相ランピングターム推定値の周波数ドメイン値を、タイミング誤差推定値の時間ドメイン等値（equivalent）へとマッピングするように動作する。これらのコンポーネントの組み合わせは、ＵＥＲＳに少なくとも部分的に基づいてＵＥＲＳタイミング推定値を推定するための手段を提供する。
【００７６】
[0084]ＵＥＲＳタイミング推定値とＣＲＳタイミング推定値の各々とを生成した後、コントローラ／プロセッサ５８０はそれぞれ、ＵＥＲＳタイミング推定値と、ＣＲＳタイミング推定値の各々とのタイミング差分を算出する。タイミング差分は、さらなる処理のために、メモリ５８２に一時的に記憶されうる。これらのコンポーネントの組み合わせは、ＵＥＲＳタイミング推定値と、少なくとも１つのＣＲＳタイミング推定値の各々との間のタイミング差分を決定するための手段を提供する。
【００７７】
[0085]コントローラ／プロセッサ５８０は、それぞれ、ＵＥＲＳタイミング推定値と、ＣＲＳタイミング推定値の各々との間で決定された時間差分の各々を比較するように比較器９０６を制御する。比較器９０６は、タイミング差分のうちのどれが最小値であるかを識別し、ゆえに、ＵＥＲＳタイミング推定値が基づくＵＥＲＳ信号と、最小のタイミング差分に関連付けられた識別されたＣＲＳタイミング推定値が基づく特定のＣＲＳ信号との間のアライメントを提案するだろう。これらのコンポーネントの組み合わせは、タイミング差分に基づいて、少なくとも１つのＣＲＳタイミング推定値のうちの１つに関連付けられた、アラインされたＣＲＳタイミング推定値を識別するための手段を提供する。
【００７８】
[0086]コントローラ／プロセッサ５８０は、ダウンリンクデータ信号において受信されたダウンリンクデータチャネルからデータを復調するように復調器９０５を動作する。本開示の特定の態様において、コントローラ／プロセッサ５８０は、データ信号を復調するために、アラインされたＣＲＳタイミング推定値を復調器９０５に提供する。本開示のさらなる態様において、コントローラ／プロセッサ５８０は、アラインされたＣＲＳタイミング推定値と、ＵＥＲＳタイミング推定値との組み合わせに基づいて、平均タイミング誤差を復調器９０５に提供する。これらのコンポーネントの組み合わせは、代用のタイミング推定値に基づいてダウンリンクデータチャネルで搬送されたデータを復調するための手段を提供し、代用のタイミング推定値は、アラインされたＣＲＳタイミング推定値、または、平均タイミング誤差推定値のいずれかであり、平均タイミング誤差推定値は、アラインされたＣＲＳタイミング推定値と、ＵＥＲＳタイミング推定値との組み合わせに基づく。
【００７９】
[0087]当業者は、情報および信号が、様々な異なる技術および技法のいずれかを使用して表されうることを理解するだろう。例えば、上記説明の全体にわたって参照されうるデータ、命令、コマンド、情報、信号、ビット、シンボル、およびチップは、電圧、電流、電磁波、磁場または磁気粒子、光場または光粒子、またはこれらの任意の組み合わせによって表されうる。
【００８０】
[0088]図７および図１０の機能ブロックおよびモジュールは、プロセッサ、電子デバイス、ハードウェアデバイス、電子コンポーネント、論理回路、メモリ、ソフトウェアコード、ファームウェアコード、等、またはそれらの任意の組み合わせを備えうる。
【００８１】
[0089]当業者はさらに、本明細書での開示に関連して説明された実例となる様々な論理ブロック、モジュール、回路、およびアルゴリズムのステップが、電子ハードウェア、コンピュータソフトウェア、または両者の組み合わせとして実現されうることを認識するだろう。ハードウェアとソフトウェアとのこの互換性を明確に示すために、実例となる様々なコンポーネント、ブロック、モジュール、回路、およびステップが、一般的にそれらの機能の観点から、上に説明されている。そのような機能がハードウェアとして実現されるかソフトウェアとして実現されるかは、特定のアプリケーションおよびシステム全体に課された設計制約に依存する。当業者は、説明された機能を、特定のアプリケーションごとに様々な手法で実現することができるが、そのような実現の決定は、本開示の範囲からの逸脱するものとして解釈されるべきではない。
【００８２】
[0090]本明細書の開示に関連して説明された実例となる様々な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するように設計されたそれらの任意の組み合わせを用いて、実現または実行されうる。汎用プロセッサは、マイクロプロセッサでありうるが、代替的に、プロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアと結合された１つ以上のマイクロプロセッサとの組み合わせ、または任意の他のそのような構成としても実現されうる。
【００８３】
[0091]本明細書の開示に関連して説明された方法またはアルゴリズムのステップは、ハードウェアで直接的に、プロセッサによって実行されるソフトウェアモジュールで、または両者の組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在しうる。例示的な記憶媒体は、プロセッサがこの記憶媒体から情報を読み取り、またこの記憶媒体に情報を書き込むことができるように、プロセッサに結合される。代替的に、記憶媒体は、プロセッサと一体化されうる。プロセッサおよび記憶媒体は、ＡＳＩＣ内に存在しうる。ＡＳＩＣは、ユーザ端末内に存在しうる。代替的に、プロセッサおよび記憶媒体は、ユーザ端末内のディスクリートコンポーネントとして存在しうる。
【００８４】
[0092]１つ以上の例示的な設計において、説明された機能は、ハードウェア、ソフトウェア、ファームウェア、またはそれらの任意の組み合わせで実現されうる。ソフトウェアで実現される場合、これら機能は、コンピュータ読取可能な媒体において、１つ以上の命令またはコードとして、記憶または送信されうる。コンピュータ読取可能な媒体は、ある場所から別の場所へのコンピュータプログラムの転送を容易にする任意の媒体を含む通信媒体とコンピュータ記憶媒体との両方を含む。記憶媒体は、汎用コンピュータまたは専用コンピュータによってアクセスされることができる任意の入手可能な媒体でありうる。限定ではなく例として、そのようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用コンピュータまたは専用コンピュータ、あるいは、汎用または専用プロセッサによってアクセスされることができる任意の他の媒体を備えることができる。また、いずれの接続も厳密にはコンピュータ読取可能な媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（ｄｉｓｋ）およびディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここでディスク（ｄｉｓｋ）は、通常磁気的にデータを再生し、ディスク（ｄｉｓｃ）は、レーザーを用いて光学的にデータを再生する。上記の組み合わせもまた、コンピュータ読取可能な媒体の範囲内に含まれるべきである。
【００８５】
［0093]本開示の先の説明は、本開示を製造または使用することをいずれの当業者にも可能にさせるために提供されている。本開示に対する様々な変更は、当業者には容易に明らかであり、本明細書で定義された包括的な原理は、本開示の精神または範囲から逸脱することなく他の変形例に適用されうる。このように、本開示は、本明細書で説明された例および設計に限定されることは意図しておらず、本明細書に開示された原理および新規な特徴と一致する最も広い範囲が与えられるべきである。
以下に、本願出願の当初の特許請求の範囲に記載された発明を付記する。
［Ｃ１］ワイヤレス通信の方法であって、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、方法。
［Ｃ２］前記ＵＥＲＳタイミング推定値を推定することは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を備える、［Ｃ１］に記載の方法。
［Ｃ３］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ２］に記載の方法。
［Ｃ４］前記少なくとも１つのＣＲＳを受信することは、サービングＣＲＳおよび非サービングＣＲＳを受信することを備え、
前記少なくとも１つのＣＲＳタイミング推定値を推定することは、サービングＣＲＳタイミング推定値および非サービングＣＲＳタイミング推定値を推定することを含み、
前記アラインされたＣＲＳタイミング推定値は、前記タイミング差分の最小値に関連付けられた前記ＣＲＳタイミング推定値である、［Ｃ１］に記載の方法。
［Ｃ５］前記ＣＲＳを受信することは、前記少なくとも１つのＣＲＳを複数の送信ポイントから受信することを備える、［Ｃ１］に記載の方法。
［Ｃ６］前記ＵＥＲＳタイミング推定値は、前記少なくとも１つのＣＲＳタイミング推定値のうちの１つ以上よりも早い、またはそれらと同期である、［Ｃ５］に記載の方法。
［Ｃ７］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ１］に記載の方法。
［Ｃ８］ワイヤレス通信のために構成された装置であって、
ユーザ機器基準信号（ＵＥＲＳ）を受信するための手段と、
少なくとも１つの共通基準信号（ＣＲＳ）を受信するための手段と、
それぞれ、前記少なくとも１つのＣＲＳの各々に基づいて、少なくとも１つのＣＲＳタイミング推定値を推定するための手段と、
前記ＵＥＲＳに少なくとも部分的に基づいてＵＥＲＳタイミング推定値を推定するための手段と、
前記ＵＥＲＳタイミング推定値と、前記少なくとも１つのＣＲＳタイミング推定値の各々との間のタイミング差分を決定するための手段と、
前記タイミング差分に基づいて、前記少なくとも１つのＣＲＳタイミング推定値のうちの１つに関連付けられた、アラインされたＣＲＳタイミング推定値を識別するための手段と、
代用のタイミング推定値に基づいて、ダウンリンクデータチャネルで搬送されたデータを復調するための手段と
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
［Ｃ９］前記ＵＥＲＳタイミング推定値を推定するための手段は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するための手段と、
前記周波数ドメインモデリングされたチャネルの各々に対して推定器を適用することで、位相ランピングタームを生成するための手段と、
前記推定された位相ランピングタームを前記ＵＥＲＳタイミング推定値にマッピングするための手段と
を備える、［Ｃ８］に記載の装置。
［Ｃ１０］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ９］に記載の装置。
［Ｃ１１］前記少なくとも１つのＣＲＳを受信するための手段は、サービングＣＲＳおよび非サービングＣＲＳを受信するための手段を備え、
前記少なくとも１つのＣＲＳタイミング推定値を推定するための手段は、サービングＣＲＳタイミング推定値および非サービングＣＲＳタイミング推定値を推定するための手段を含み、
前記アラインされたＣＲＳタイミング推定値は、前記タイミング差分の最小値に関連付けられた前記ＣＲＳタイミング推定値である、［Ｃ８］に記載の装置。
［Ｃ１２］前記ＣＲＳを受信するための手段は、複数の送信ポイントから前記少なくとも１つのＣＲＳを受信するための手段を備える、［Ｃ８］に記載の装置。
［Ｃ１３］前記ＵＥＲＳタイミング推定値は、前記少なくとも１つのＣＲＳタイミング推定値のうちの１つ以上よりも早い、またはそれと同期である、［Ｃ１２］に記載の装置。
［Ｃ１４］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ８］に記載の装置。
［Ｃ１５］ワイヤレスネットワークにおけるワイヤレス通信のためのコンピュータプログラム製品あって、
プログラムコードが記録されたコンピュータ読取可能な媒体を備え、前記プログラムコードは、
ユーザ機器基準信号（ＵＥＲＳ）を受信するためのプログラムコードと、
少なくとも１つの共通基準信号（ＣＲＳ）を受信するためのプログラムコードと、
それぞれ、前記少なくとも１つのＣＲＳの各々に基づいて、少なくとも１つのＣＲＳタイミング推定値を推定するためのプログラムコードと、
前記ＵＥＲＳに少なくとも部分的に基づいてＵＥＲＳタイミング推定値を推定するためのプログラムコードと、
前記ＵＥＲＳタイミング推定値と、前記少なくとも１つのＣＲＳタイミング推定値の各々との間のタイミング差分を決定するためのプログラムコードと、
前記タイミング差分に基づいて、前記少なくとも１つのＣＲＳタイミング推定値のうちの１つに関連付けられたアラインされたＣＲＳタイミング推定値を識別するためのプログラムコードと、
代用のタイミング推定値に基づいて、ダウンリンクデータチャネルで搬送されたデータを復調するためのプログラムコードと、
を備え、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、コンピュータプログラム製品。
［Ｃ１６］前記ＵＥＲＳタイミング推定値を推定するためのプログラムコードは、
複数のＵＥＲＳベースのダウンリンクデータチャネルリソースブロック（ＲＢ）にわたって複数のＵＥＲＳトーン上のチャネルごとに周波数ドメインモデリングされたチャネルを生成するためのプログラムコードと、
前記周波数ドメインモデリングされたチャネルの各々に対して推定器を適用することで、位相ランピングタームを生成するためのプログラムコードと、
前記推定された位相ランピングタームを前記ＵＥＲＳタイミング推定値にマッピングするためのプログラムコードと
を備える、［Ｃ１５］に記載のコンピュータプログラム製品。
［Ｃ１７］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ１６］に記載のコンピュータプログラム製品。
［Ｃ１８］前記少なくとも１つのＣＲＳを受信するための前記プログラムコードは、サービングＣＲＳおよび非サービングＣＲＳを受信するためのプログラムコードを備え、
前記少なくとも１つのＣＲＳタイミング推定値を推定するための前記プログラムコードは、サービングＣＲＳタイミング推定値および非サービングＣＲＳタイミング推定値を推定するためのプログラムコードを含み、
前記アラインされたＣＲＳタイミング推定値は、前記タイミング差分の最小値に関連付けられた前記ＣＲＳタイミング推定値である、［Ｃ１５］に記載のコンピュータプログラム製品。
［Ｃ１９］前記ＣＲＳを受信するための前記プログラムコードは、前記少なくとも１つのＣＲＳを複数の送信ポイントから受信するためのプログラムコードを備える、［Ｃ１５］に記載のコンピュータプログラム製品。
［Ｃ２０］前記ＵＥＲＳタイミング推定値は、前記少なくとも１つのＣＲＳタイミング推定値のうちの１つ以上よりも早い、またはそれと同期である、［Ｃ１９］に記載のコンピュータプログラム製品。
［Ｃ２１］前記平均タイミング誤差推定値は、
前記アラインされたＣＲＳタイミング推定値と、前記ＵＥＲＳタイミング推定値との重み付けされた組み合わせ、および
前記アラインされたＣＲＳタイミング推定値と、前記ＵＥＲＳタイミング推定値との平均
のうちの１つを備える、［Ｃ１５］に記載のコンピュータプログラム製品。
［Ｃ２２］ワイヤレス通信のために構成された装置であって、
少なくとも１つのプロセッサと、
前記少なくとも１つのプロセッサに結合されたメモリと
を備え、
前記少なくとも１つのプロセッサは、
ユーザ機器基準信号（ＵＥＲＳ）を受信することと、
少なくとも１つの共通基準信号（ＣＲＳ）を受信することと、
それぞれ、前記少なくとも１つのＣＲＳの各々に基づいて、少なくとも１つのＣＲＳタイミング推定値を推定することと、
前記ＵＥＲＳに少なくとも部分的に基づいてＵＥＲＳタイミング推定値を推定することと、
前記ＵＥＲＳタイミング推定値と、前記少なくとも１つのＣＲＳタイミング推定値の各々との間のタイミング差分を決定することと、
前記タイミング差分に基づいて、前記少なくとも１つのＣＲＳタイミング推定値のうちの１つに関連付けられた、アラインされたＣＲＳタイミング推定値を識別することと、
代用のタイミング推定値に基づいて、ダウンリンクデータチャネルで搬送されたデータを復調することと
を実行するように構成され、前記代用のタイミング推定値は、
前記アラインされたＣＲＳタイミング推定値、または、
平均タイミング誤差推定値
のうちの１つであり、前記平均タイミング誤差推定値は、前記アラインされたＣＲＳタイミング推定値と、前記ＵＥＲＳタイミング推定値との組み合わせに基づく、装置。
［Ｃ２３］前記ＵＥＲＳタイミング推定値を推定するような前記少なくとも１つのプロセッサの構成は、
複数のＵＥＲＳベースのダウンリンクデータチャネルリソースブロック（ＲＢ）にわたって複数のＵＥＲＳトーン上のチャネルごとに周波数ドメインモデリングされたチャネルを生成することと、
前記周波数ドメインモデリングされたチャネルの各々に対して推定器を適用することで、位相ランピングタームを生成することと、
前記推定された位相ランピングタームを前記ＵＥＲＳタイミング推定値にマッピングすることと
を実行するような前記少なくとも１つのプロセッサの構成を備える、［Ｃ２２］に記載の装置。
［Ｃ２４］前記周波数ドメインモデリングされたチャネルは、前記複数のＵＥＲＳトーンのうちの隣接ＵＥＲＳトーン上の隣接チャネルに前記位相ランピングタームを乗じたものを備える、［Ｃ２３］に記載の装置。
［Ｃ２５］前記少なくとも１つのＣＲＳを受信するような前記少なくとも１つのプロセッサの構成は、サービングＣＲＳおよび非サービングＣＲＳを受信するような前記少なくとも１つのプロセッサの構成を備え、
前記少なくとも１つのＣＲＳタイミング推定値を推定するような前記少なくとも１つのプロセッサの構成は、サービングＣＲＳタイミング推定値および非サービングＣＲＳタイミング推定値を推定するような前記少なくとも１つのプロセッサの構成を含み、
前記アラインされたＣＲＳタイミング推定値は、前記タイミング差分の最小値に関連付けられた前記ＣＲＳタイミング推定値である、［Ｃ２２］に記載の装置。
［Ｃ２６］前記ＣＲＳを受信するような前記少なくとも１つのプロセッサの構成は、複数の送信ポイントから前記少なくとも１つのＣＲＳを受信するような前記少なくとも１つのプロセッサの構成を備える、［Ｃ２２］に記載の装置。
［Ｃ２７］前記ＵＥＲＳタイミング推定値は、前記少なくとも１つのＣＲＳタイミング推定値のうちの１つ以上よりも早い、またはそれと同期である、［Ｃ２６］に記載の装置。
［Ｃ２８］前記平均タイミング誤差推定値は、
前記アラインされたＣＲＳタイミング推定値と、前記ＵＥＲＳタイミング推定値との重み付けされた組み合わせ、
前記アラインされたＣＲＳタイミング推定値と、前記ＵＥＲＳタイミング推定値との平均
のうちの１つを備える、［Ｃ２２］に記載の装置。
【図１】
0005882498.tif 000002
【図２】
0005882498.tif 000003
【図３】
0005882498.tif 000004
【図４】
0005882498.tif 000005
【図５】
0005882498.tif 000006
【図６】
0005882498.tif 000007
【図７】
0005882498.tif 000008
【図８Ａ】
0005882498.tif 000009
【図８Ｂ】
0005882498.tif 000010
【図８Ｃ】
0005882498.tif 000011
【図８Ｄ】
0005882498.tif 000012
【図９】
0005882498.tif 000013